【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
塩分濃度差電力またはエネルギーを生成するための装置に設置された、アクアポリン水チャネルを含む生体模倣膜であって、前記塩分濃度差電力またはエネルギーは、圧遅延浸透によって生じた圧力に基づいて生成され、前記アクアポリン水チャネルは、脂質二分子層膜またはブロック共重合体膜中に組み込まれている、生体模倣膜。
【請求項２】
前記アクアポリンがアクアグリセロポリンである、請求項１に記載の生体模倣膜。
【請求項３】
前記アクアポリンが変異アクアポリン／アクアグリセロポリンである、請求項１に記載の生体模倣膜。
【請求項４】
アクアポリンが、１つの更なる多孔質膜材料で支持されている、脂質二分子層膜またはブロック共重合体膜中に組み込まれている、請求項１〜３のいずれか１項に記載の生体模倣膜。
【請求項５】
脂質二分子層膜が、融合され堆積された脂質ベシクルの多重二分子層からなる、請求項１〜４のいずれか１項に記載の生体模倣膜。
【請求項６】
アクアポリンが、疎水性表面特性および複数の孔を有する膜フィルムを挟持する、脂質二分子層膜またはブロック共重合体膜中に組み込まれている、請求項１〜４のいずれか１項に記載の生体模倣膜。
【請求項７】
前記膜フィルムがテフロン(登録商標)フィルムである、請求項６に記載の生体模倣膜。
【請求項８】
前記アクアポリンが植物由来である、請求項１〜７のいずれか１項に記載の生体模倣膜。
【請求項９】
前記植物由来のアクアポリンが、TIP、PIP、およびNIPアクアポリンならびにそれらの混合物およびハイブリッドから選択される、請求項８に記載の生体模倣膜。
【請求項１０】
前記脂質二分子層が、リン脂質、ホスホグリセリド、スフィンゴリピド、カルジオリピン、およびそれらの混合物からなる群より選択される両親媒性脂質から本質的になる、請求項１〜９のいずれか１項に記載の生体模倣膜。
【請求項１１】
前記脂質二分子層が、ホスファチジルコリン、ホスファチジルエタノールアミン、ホスファチジルグリセロール、ホスファチジルセリン、カルジオリピン、双極性脂質、重合性脂質、天然脂質抽出物、およびそれらの混合物からなる群より選択される、請求項１〜９のいずれか１項に記載の生体模倣膜。
【請求項１２】
前記両親媒性脂質が、以下に示された群より選択される、請求項１１に記載の生体模倣膜：
1,2-ジミリストイルホスファチジルコリン(DMPC)、1,2-ジパルミトイルホスファチジルコリン(DPPC)、1,2-ジステアロイルホスファチジルコリン(DSPC)、1,2-ジオレオイルホスファチジルコリン(DOPC)、1,2-ジミリストレオイルホスファチジルコリン、1,2-ジパルミトレオイルホスファチジルコリン、1,2-ジペトロセリノイルホスファチジルコリン、1,2-ジエライドイルホスファチジルコリン、1,2-ジリノレオイルホスファチジルコリン、1,2-ジリノレノイルホスファチジルコリン、1,2-ジエイコセノイルホスファチジルコリン、1,2-ジアラキドノイルホスファチジルコリン、1,2-ジエルコイルホスファチジルコリン、1,2-ジネルボノイルホスファチジルコリン、1-パルミトイル-2-オレオイルホスファチジルコリン(POPC)、1-パルミトイル-2-リノレオイルホスファチジルコリン、1-パルミトイル-2-アラキドノイルホスファチジルコリン、1-パルミトイル-2-ドコサヘキサエノイルホスファチジルコリン、1-ステアロイル-2-オレオイルホスファチジルコリン(SOPC)、1-ステアロイル-2-リノレオイルホスファチジルコリン、1-ステアロイル-2-アラキドノイルホスファチジルコリン、1-ステアロイル-2-ドコサヘキサエノイルホスファチジルコリン、1-オレオイル-2-パルミトイルホスファチジルコリン、1-オレオイル-2-ステアロイルホスファチジルコリン、1,2-ジドコサヘキサエノイルホスファチジルコリン；
1,2-ジミリストイルホスファチジルエタノールアミン(DMPE)、1,2-ジパルミトイルホスファチジルエタノールアミン(DPPE)、1,2-ジステアロイルホスファチジルエタノールアミン(DSPE)、1,2-ジオレオイルホスファチジルエタノールアミン(DOPE)、1-パルミトイル-2-オレオイルホスファチジルエタノールアミン(POPE)、1-パルミトイル-2-リノレオイルホスファチジルエタノールアミン、1-パルミトイル-2-アラキドノイルホスファチジルエタノールアミン、1-パルミトイル-2-ドコサヘキサエノイルホスファチジルエタノールアミン、1-ステアロイル-2-オレオイルホスファチジルエタノールアミン(SOPE)、1-ステアロイル-2-リノレオイルホスファチジルエタノールアミン、1-ステアロイル-2-アラキドノイルホスファチジルエタノールアミン、1-ステアロイル-2-ドコサヘキサエノイルホスファチジルエタノールアミン、1,2-ジエライドイルホスファチジルエタノールアミン、1,2-ジリノレオイルホスファチジルエタノールアミン、1,2-ジリノレノイルホスファチジルエタノールアミン、1,2-ジアラキドノイルホスファチジルエタノールアミン、1,2-ジドコサヘキサエノイルホスファチジルエタノールアミン、1,2-ジパルミトレオイルホスファチジルエタノールアミン；
1,2-ジミリストイルホスファチジルグリセロール(DMPG)、1,2-ジパルミトイルホスファチジルグリセロール(DPPG)、1,2-ジステアロイルホスファチジルグリセロール(DSPG)、1,2-ジオレオイルホスファチジルグリセロール(DOPG)、1-パルミトイル-2-オレオイルホスファチジルグリセロール(POPG)、1-パルミトイル-2-リノレオイルホスファチジルグリセロール、1-パルミトイル-2-アラキドノイルホスファチジルグリセロール、1-パルミトイル-2-ドコサヘキサエノイルホスファチジルグリセロール、1-ステアロイル-2-オレオイルホスファチジルグリセロール(SOPG)、1-ステアロイル-2-リノレオイルホスファチジルグリセロール、1-ステアロイル-2-アラキドノイルホスファチジルグリセロール、1-ステアロイル-2-ドコサヘキサエノイルホスファチジルグリセロール；
1-パルミトイル-2-オレオイルホスファチジルセリン(POPS)、1-パルミトイル-2-リノレオイルホスファチジルセリン、1-パルミトイル-2-アラキドノイルホスファチジルセリン、1-パルミトイル-2-ドコサヘキサエノイルホスファチジルセリン、1-ステアロイル-2-オレオイルホスファチジルセリン(SOPS)、1-ステアロイル-2-リノレオイルホスファチジルセリン、1-ステアロイル-2-アラキドノイルホスファチジルセリン、1-ステアロイル-2-ドコサヘキサエノイルホスファチジルセリン、1,2-ジミリストイルホスファチジルセリン(DMPS)、1,2-ジパルミトイルホスファチジルセリン(DPPS)、1,2-ジステアロイルホスファチジルセリン(DSPS)、1,2-ジオレオイルホスファチジルセリン(DOPS)、1,2-ジドコサヘキサエノイルホスファチジルセリン、1,2-ジエルコイルホスファチジルセリン；
1,2-ジ-10,12-トリコサジイノイル-sn-グリセロ-3-ホスホコリン(DTPC)、1,2-ジ-10,12-トリコサジイノイル-sn-グリセロ-3-ホスホエタノールアミン(DTPE)、1-パルミトイル-2,10,12-トリコサジイノイル-sn-グリセロ-3-ホスホエタノールアミン(PTPE)、(DC8,9PC)[1,2-ビス(10,12-トリコサジイノイル)-sn-グリセロ-3-ホスホコリン]、diPhyPC[1,2-ジフィタノイル-sn-グリセロ-3-ホスホコリン]；
卵黄ホスファチジルコリン、ウシ心臓ホスファチジルコリン、脳ホスファチジルコリン、ウシ肝臓ホスファチジルコリン、大豆ホスファチジルコリン、大腸菌ホスファチジルエタノールアミン、ウシ心臓ホスファチジルエタノールアミン、脳ホスファチジルエタノールアミン、ウシ肝臓ホスファチジルエタノールアミン、卵ホスファチジルエタノールアミン、ウシ肝臓ホスファチジルイノシトール、大豆ホスファチジルイノシトール、脳ホスファチジルセリン、大豆ホスファチジルセリン。
【請求項１３】
前記両親媒性脂質が、DPPC、他のリン脂質またはそれらの混合物である、請求項１０に記載の生体模倣膜。
【請求項１４】
前記ブロック共重合体が、２種類以上のブロック共重合体の混合物である、請求項１〜４及び６〜９のいずれか１項に記載の生体模倣膜。
【請求項１５】
前記ブロック共重合体がトリブロック共重合体である、請求項１〜４及び６〜９のいずれか１項に記載の生体模倣膜。
【請求項１６】
前記トリブロック共重合体が、重合性末端基を有する両親媒性トリブロック共重合体である、請求項１５に記載の生体模倣膜。